(57)【特許請求の範囲】
【請求項１】
靴底（１）を有する靴、特に運動靴であって、
前記靴底（１）は、少なくとも１つのばね要素（２）を含み、前記ばね要素は、水平かつ前記靴底（１）の長手方向（Ｌ）に垂直な向きの軸（Ｑ）の周方向の前記靴底（１）の曲げ剛性を増大させ、
前記靴底は、少なくとも１つのばね要素（２）のための少なくとも１つの受入溝（３）を含み、前記ばね要素（２）は、前記靴底（１）に対して少なくとも伸張部の一部に沿って前記長手方向（Ｌ）に相対的に摺動可能に配置され、前記ばね要素（２）は、長手方向（Ｌ）で測定した長さの少なくとも７５％に沿って帯状の形状を有し、前記受入溝（３）は、前記ばね要素（２）の上側（４）と前記靴底（１）の上側（５）が実質的に平坦な表面を形成するように、前記靴底（１）の上側（５）に組み込まれることを特徴とする靴。
【請求項２】
前記ばね要素（２）は、前記長手方向（Ｌ）に対して垂直な断面では少なくとも部分的に矩形の形状を有することを特徴とする請求項１に記載の靴。
【請求項３】
前記ばね要素（２）は、軸端の一方で、前記長手方向（Ｌ）に対して水平横方向に広がり部（６）を含むことを特徴とする請求項１又は２に記載の靴。
【請求項４】
前記広がり部（６）は、前記ばね要素（２）の前端領域に配置されることを特徴とする請求項３に記載の靴。
【請求項５】
前記ばね要素（２）は、前記広がり部（６）とともに、上面から見てＴ字形状を有することを特徴とする請求項３または４に記載の靴。
【請求項６】
前記ばね要素（２）は、少なくとも１つのネジ接続（７）によって前記靴底（１）に連結されることを特徴とする請求項１〜５のいずれか１項に記載の靴。
【請求項７】
前記ネジ接続（７）によって、同時に、前記靴底（１）の底面でクリート（８）が固定されることを特徴とする請求項６に記載の靴。
【請求項８】
前記ばね要素（２）は、強化用繊維を組み込んだ塑性材料から成ることを特徴とする請求項１〜７のいずれか１項に記載の靴。
【請求項９】
前記強化用繊維は、ガラス繊維または炭素繊維であることを特徴とする請求項８に記載の靴。
【請求項１０】
サッカーシューズであることを特徴とする請求項１〜９のいずれか１項に記載の靴。
【発明の詳細な説明】
【技術分野】
【０００１】
本発明は、靴底を備える靴、特に運動靴に関し、靴底は少なくとも１つのばね要素からなり、ばね要素は、水平方向であり、かつ、靴底の長手方向に対して垂直である軸の周方向の靴底の曲げ剛性を増大させる。
【背景技術】
【０００２】
この種の靴は、たとえば、国際公開第２００８／０００３９８（Ａ１）号パンフレットから知られている。靴には、水平横軸の周方向の靴の曲げ剛性を増大させ、これにより、たとえばランニングシューズとして使用するために必要な剛性を靴に付与するばね特性を有する堅いインソールが備えられている。そのような解決法は、通常の靴であって、上記パンフレットにみられるような靴の長手方向に圧縮性がある靴ではない場合には、取り扱いに比較的多くの労力が必要となることから、問題となる可能性がある。固有の堅さのあるインソールは、要求に応じて靴に挿入する必要がある。
【０００３】
また、横軸の周方向の曲げ剛性を増大させるために、靴の長手方向に伸張する補強材またはばね要素を靴底に、たとえば接着によって、固定して連結することが知られている。横軸の周方向の曲げモーメントひいてはこの軸の周方向の曲げ変形の開始時に、補強材またはばね要素と靴底との間にかなり大きい張力が生じる可能性があることが問題となる。これにより、補強材またはばね要素が破壊する危険性さえ生じる。
独国特許第３１５９１９（Ｃ）号明細書は、蝶番を形成する継板と接合される２つの部品を有する連結された木製靴底を開示する。同様に、仏国特許出願公開第８８０９９８（Ａ）号明細書および仏国特許出願公開第４４９８９２（Ａ）号明細書には、同じような複数の部品の木製靴底が示されている。
【発明の概要】
【発明が解決しようとする課題】
【０００４】
そこで、本発明の目的は、上記の問題を防止するように、上に示す種類の靴、特に運動靴を開発することである。
【課題を解決するための手段】
【０００５】
したがって、別個の手段を用いず、つまり、ばね要素を挿入することなく、組み込まれたばね要素によって、長手軸に対する水平横軸の周方向の十分な曲げ剛性とばね特性をそれぞれ有する靴底を備える靴を作製する必要があり、このばね要素は、曲げ変形が大きい場合でも、破壊する危険性がないように配置される。このようにすることで、特にサッカーシューズの場合には、シュート力を増大させることが可能となり、シュート速度に良い影響を確実に与えることができるようになる。しかし、通常のランニング時には、望ましくない高剛性を与えるべきでない。
【０００６】
本発明による目的の解決法は、靴底が、少なくとも１つのばね要素のための少なくとも１つの受入溝を含み、ばね要素は、靴底に対して少なくとも伸張部の一部に沿って長手方向に相対的に摺動可能に配置され、ばね要素は、少なくとも長手方向に測定した長さの少なくとも７５％に沿って帯状の形状を有し、受入溝は、ばね要素の上側と靴底の上側が実質的に平坦な表面を形成するように、靴底の上側に組み込まれることを特徴とする。
【０００７】
ばね要素は、少なくとも実質的に長手方向の伸張部に沿って、特に長手方向に測定した長さの少なくとも７５％に少なくとも沿って帯状の形状を有するのが好ましい。
【０００８】
ばね要素は、長手方向に対して垂直な断面では少なくとも部分的に矩形の形状を有しうる。
【０００９】
提案する設計によって靴の着用者に違和感を与えないことを確実にするために、ばね要素の上側と靴底の上側は、実質的に平坦な表面を形成するのが好ましい。
【００１０】
ばね要素は、靴底での固定を容易にするために、軸端の一方に、長手方向に対して水平横方向に広がり部を含むことができる。これによって、広がり部は、ばね要素の前端領域に配置されるのが好ましい。ばね要素は、広がり部とともに上面から見てＴ字形状を有しうる。
【００１１】
本発明の好適な実施形態によれば、ばね要素は、少なくとも１つのネジ接続によって靴底に連結される。さらに、本発明の特に好適な実施形態では、ネジ接続によって靴底の底部側にクリートを同時に固定することを提案する。
【００１２】
ばね要素は、強化用繊維を組み込んだ塑性材料から成るのが好ましい。強化用繊維は、主にガラス繊維または炭素繊維である。
【００１３】
本発明の好適な適用は、サッカーシューズである。
【００１４】
この場合、提案する靴の利点が特に顕著となり、すなわち、（長手軸に対して水平横軸の周方向に屈曲することによって）靴底が変形する場合、（カタパルトと同じように）エネルギーをばね要素に蓄積し、シュート時に発することができる。したがって、シュート力を増大させることができ、このため、シュート速度に良い影響を確実に与えることができる。
【００１５】
しかし、一方では、ばね要素は、提案する設計によって、既知の解決法のようにさらに補強を加えないということが便益である。
【００１６】
これは、靴底の受入溝内のばね要素が、長手方向の実質的な伸張部に沿って、靴底に対して摺動可能であることから、水平横軸の周方向に靴底が屈曲する時に、ばね要素の破壊に対して臨界となりうる張力が、ばね要素に発生しないことによる。
【００１７】
むしろ、靴底の溝の底面に対してばね要素が相対的に摺動移動することによって、ばね要素が横軸の周方向の曲げモーメントに対して同じ抵抗力を常にもたらすように、釣合い運動が生じる。このため、ばね要素を含む靴底の抵抗モーメントは、実質的に一定となり、簡単な方法で、横軸の周方向の曲げ挙動に関して靴の設計が可能となる。
【００１８】
図面には、本発明の一実施形態を示す。
【図面の簡単な説明】
【００１９】
【図１】運動靴の靴底を示す斜視図である。
【図２】靴の長手方向に垂直な断面（図１の断面Ａ−Ｂ）を示す図である。
【図３】長手方向に沿って靴底の一部の断面（図１による断面Ｃ−Ｄ）を示す図である。
【発明を実施するための形態】
【００２０】
図面には、公知の方法によって図示していない靴の甲部と連結される運動靴の靴底１を示す。靴底は、着用者の足に対応する形状、つまり貝殻の形状を有する。通常の材料から作製される靴底１は、靴および靴底１それぞれの長手方向Ｌに対して水平横方向、つまり、軸Ｑの周方向に作用する曲げモーメントの影響下にある場合、靴底１の剛軟度を増大させるばね要素２を備える。そのような曲げモーメントを伴う靴底１の衝撃は、靴が歩行中に地面に接触し、地面上で巻き上がる時に発生することが多い。
【００２１】
これにより、ばね要素２は、全体の伸張部に沿って靴底に固定して連結されず、靴底１の受入溝３内に配置される。図２に示すように、受入溝３は、ばね要素２とまさに同じく、長手方向Ｌに垂直な断面において実質的に矩形の形状を有する。これにより、図２に示すように、ばね要素２は受入溝３よりも幅が僅かに細い。
【００２２】
ばね要素２は、受入溝３内に自由に配置される以外に、靴底の足指領域の靴底１に固定して連結され、受入溝３の側面９によって案内される。たとえば、靴が地面上で巻き上がる時に軸Ｑの周方向の屈曲が生じる場合、靴底１およびばね要素２は、幾何学関係によって一様に変形せず、僅かに差が生じる。この差は、ばね要素２が受入溝３内で長手方向Ｌに摺動するという事実によって解消される。したがって、受入溝３は、ばね要素２に対応しているが、後端部領域では伸張部が僅かに長い。自由空間１０を参照されたい。
【００２３】
ばね要素２は、（靴の大きさに応じて）長さが１５〜２８ｃｍであり、矩形の形状を有する層状部分を有し、その断面部の長さが１０〜２３ｃｍとなりうるのが好ましい。矩形の断面を有するこの部分は、幅が１０〜２０ｍｍであるのが好ましく、高さが１〜４ｍｍであるのが好ましい。
【００２４】
さらに図に示すように、ばね要素２の上側４と靴底１の上側５は平坦であり、これにより、靴の着用者にとって受入溝３内に位置するばね要素２が妨げにはならない。
【００２５】
ばね要素２は、上に示すように、靴底１の足指領域に固定される。したがって、ばね要素２は、足指領域に広がり部６を有し、これにより、上面から見て概してＴ字形状を有するように、広がり部６の領域のばね要素２に２つの穴が配置され、この穴にネジスリーブ１１を上側から挿入することができる（図３参照）。ネジスリーブ１１は、上部領域に円盤状の広がり部１２を有し、ばね要素２に鋏み込み、これにより、ばねと堅固に組み立てるアーバ（図示せず）を備えることができる。下方では、ネジ軸１３が、ネジ山を備える円盤状の広がり部１２に隣接している。靴底１は、ネジ軸１３が靴底の底面部まで伸張できるように、この位置に穴を有する。クリート８は、底面からネジ止めされ、すなわち、ネジ軸１３にネジ止め可能なネジ山部分１４を備える。
【００２６】
これにより、ネジクリート８が靴底の底面に固定され、同時に、ばね要素２は、上記の平衡機能に影響を及ぼさないように、簡単な方法かつ少ない部品を用いて、つまり、靴底の足指領域でのみ靴底１と固定される。
【００２７】
クリートを備えない場合は、靴底１にばね要素２を固定する機能のみを有する別個のネジによって、ばね要素２は靴底１と固定することができる。
【符号の説明】
【００２８】
１  靴底
２  ばね要素
３  受入溝
４  ばね要素の上側
５  靴底の上側
６  広がり部
７  ネジ接続
８  クリート
９  側面
１０  自由空間
１１  ネジスリーブ
１２  広がり部
１３  ネジ軸
１４  ネジ山部分
Ｌ  長手方向
Ｑ  軸
【図１】
0005586688.tif 000002
【図２】
0005586688.tif 000003
【図３】
0005586688.tif 000004